(57)【要約】【課題】  ユーザーに対して起動準備を早く知らせる必要がある場合に限り表示を行うことができる電子機器を提供する。【解決手段】  操作部制御基板１と本体制御基板２とが通信手段３により接続された電子機器において、本体制御基板２の本体ＣＰＵ２１の起動時に不揮発性メモリから揮発性メモリに実行プログラムを展開し実行制御に移行する前に、操作部制御基板１の操作部ＣＰＵ１１は、表示制御部１５を介して表示部１６に起動画面表示させる機能を有する。【選択図】  図１
2005343087.tif 000002
【特許請求の範囲】
【請求項１】
操作部制御基板と本体制御基板とが通信手段により接続された電子機器において、前記本体制御基板の本体ＣＰＵの起動時に不揮発性メモリから揮発性メモリに実行プログラムを展開し実行制御に移行する前に、前記操作部制御基板の操作部ＣＰＵは、表示制御部を介して表示部に起動画面表示させるように制御することを特徴とする電子機器。
【請求項２】
請求項１記載の電子機器において、前記表示制御部のプログラムは、本体制御プログラムよりも早い時間で起動が可能である不揮発性メモリ実行型プログラムであることを特徴とする電子機器。
【請求項３】
請求項１記載の電子機器において、夜間休止時を含み前記表示部の制御が必要ない場合には、本体ＣＰＵからの表示制御は停止されることを特徴とする電子機器。
【発明の詳細な説明】
【技術分野】
【０００１】
本発明は、操作部制御基板と本体制御基板とが通信手段により接続された電子機器に関する。
【背景技術】
【０００２】
操作部制御基板と本体制御基板とが同期シリアル等の通信手段により接続され、描画コマンドやキー入力情報等の双方向データ通信が可能な電子機器に関連して、特許文献１では、電源投入後に立上制御を行う装置及びその立上制御方法並びにその立上制御プログラムを書き込んだ記憶媒体が提案されている。
【特許文献１】特開２００２−１０８５１２公報
【発明の開示】
【発明が解決しようとする課題】
【０００３】
従来技術では、本体制御ＣＰＵでの立ち上げ時に、制御プログラムの展開をＲＡＭに対して行い、そこからソフトウエア起動が始まるが、起動までの展開時間の高速化を行っても、時間短縮に限界がある。そのため、電源投入後から表示制御部の起動画面描画指示ができるまで時間を要し、起動画面表示の応答が、ＲＯＭ実行型よりも遅くなっているのが現状である。
本発明は、ユーザーに対して起動準備を早く知らせる必要がある場合に限り表示を行うことができる電子機器を提供することを目的とするものである。
【課題を解決するための手段】
【０００４】
上記目的を達成するために、請求項１記載の発明は、操作部制御基板と本体制御基板とが通信手段により接続された電子機器において、前記本体制御基板の本体ＣＰＵの起動時に不揮発性メモリから揮発性メモリに実行プログラムを展開し実行制御に移行する前に、前記操作部制御基板の操作部ＣＰＵは、表示制御部を介して表示部に起動画面表示させるように制御することを特徴とする。
請求項２記載の発明は、請求項１記載の電子機器において、表示制御部のプログラムは、本体制御プログラムよりも早い時間で起動が可能である不揮発性メモリ実行型プログラムである電子機器を主要な特徴とする。
請求項３記載の発明は、請求項１記載の電子機器において、夜間休止時を含み表示部の制御が必要ない場合には、本体ＣＰＵからの表示制御は停止される電子機器を主要な特徴とする。
【発明の効果】
【０００５】
本発明によれば、本体制御基板と操作制御基板を備え、本体制御基板とは独立して操作制御基板を動作させることが可能であるので、本体制御基板の状態に関係なく操作制御基板の表示部に各種状態を表示することができる。
また、表示制御に関して、不揮発性メモリからのプログラム実行により本体ＣＰＵの起動よりも早く起動を完了させることができる。
また、夜間休止中など、表示制御が不要な場合にも、表示可能かどうかを判断し、不必要な表示を避けることができる。
【発明を実施するための最良の形態】
【０００６】
以下、図面を参照して、本発明の実施形態を詳細に説明する。
図１は本発明の実施の形態に係る電子機器の構成図である。本電子機器は、操作部制御基板１と本体制御基板２とが同期シリアル等の通信手段３により接続され、描画コマンドやキー入力情報等の双方向データ通信が可能な構成となっている。
操作部制御基板１において、操作部ＣＰＵ１１には、制御プログラムや画面データが格納されているフラッシュＲＯＭ１２、ワーク領域として使用されるＳＲＡＭ１３、ＬＣＤモジュール１４をコントロールするＬＣＤコントローラ１５、ＬＣＤモジュール１４上に重ねて配置されるタッチパネル１６、キー基板１７のドライバ１８等が接続されている。
また、ＬＣＤコントローラ１５を介して、ＬＣＤモジュール１４への表示画素データが格納されるビデオＲＡＭ、略してＶＲＡＭと呼ばれるＳＤＲＡＭ１９へのリード／ライトも可能である他、ドライバ１８の先にあるキー基板１７上のキースイッチやＬＥＤ、ＬＣＤモジュールのバックライト制御も可能となっている。
ＬＣＤコントローラ１５は、ＶＲＡＭのリフレッシュ処理や、ＶＲＡＭからＬＣＤモジュール１４への表示データ転送（表示信号出力）を行うが、内部レジスタへの設定により、この信号の出力２０は抑制可能となっている。
また、各制御基板上には、ＩＣカード等の外部記憶媒体の接続手段が付加されており、外部記憶媒体からのデータ読み込みが可能な構成となっている。接続手段としてカードスロットを挙げることができるが、外部記憶媒体からプログラムやデータが読み出せる構成であればこの限りではない。カードスロットへのＩＣカード装着／未装着は入力ポートにて確認可能である。
本体制御基板２において、本体ＣＰＵ２１には、ＮＶ−ＲＡＭ２２、フラッシュＲＯＭ２３、ＳＲＡＭ２４、ハードディスク２５が接続されている。
【０００７】
図２は操作部ユニットのレイアウト図である。操作部ユニット３０は、プリント枚数や倍率を入力するためのテンキー３１、プリント動作の開始を指示するためのスタートキー３２、プリント動作の中断やテンキー入力結果のクリアを指示するためのクリア／ストップキー３３、設定されているプリントモードをデフォルト状態に戻すためのリセットキー３４、予熱状態の移行／解除を指示するための予熱キー３５、実行中のプリント動作に割り込んで別のプリント動作をさせるための割込モード移行／解除キー３６、管理者や使用者の使い勝手に合わせた装置の設定を行うための初期設定モード移行／解除キー３７、ＬＣＤ上の表示言語を別の言語に切り替える言語切替キー３８、コピー、ＦＡＸ、プリンタ、スキャナ等のアプリケーションを選択するためのアプリ切替キー３９〜４２等のハードキーを備えている。
いくつかのハードキー上には、そのキーの選択状態を示すためのＬＥＤが付加されている。特にスタートキー３２上には、装置がプリント動作可能である場合は緑のＬＥＤが、動作不可である場合は赤のＬＥＤが点灯されるよう、赤・緑両方のＬＥＤ４３が付加されている。また、装置の状態や設定情報を表示させるためのＬＣＤ表示部４４（図１のタッチパネル１６に相当）がある。
図３は本体制御基板の電源投入、及び節電復帰後から操作部制御基板に起動画面描画指示を出すまでのフローチャートである。電源投入後および節電復帰時（Ｓ１）に不揮発性メモリから圧縮されたプログラムをＲＡＭ上に伸張し完了した後に（Ｓ２）、ＲＡＭ上でプログラムが実行される（Ｓ３）。本体ＣＰＵ（コントローラ）ソフトの初期化が完了した後に（Ｓ４）操作部制御基板１のＬＣＤコントローラ１５に初期起動画面の描画指示コマンドを発行する（Ｓ５）。
【０００８】
図４は操作部制御基板（操作パネル）の起動から初期起動画面表示までのフローチャートである。電源投入時および節電復帰後に即時、不揮発性メモリから操作部ＣＰＵソフトの起動（Ｓ１１）からハードウエアおよびＯＳ、ソフト本体初期化を実行し（Ｓ１２）、実行可能状態（表示可能状態）に移行した後、本体制御基板２へ同期シリアル通信するために通信開始コマンドを発行する（Ｓ１３）。同時に、コマンド応答用タイマーをスタートさせる（Ｓ１４）。
規定時間内に本体制御基板２からの応答があった場合には（Ｓ１５）、本体制御基板２（の本体ＣＰＵ２１）側からの描画指示により表示部（図１のタッチパネル１６、図２のＬＣＤ表示部４４）に後述の図６のような起動画面を表示させ（Ｓ１６）、さらに応答がない場合にはＬＣＤコントローラ１５自ら起動画面を表示させる（Ｓ１７）このときにはタイマーはタイムアウトまたはタイマー計測キャンセルにより停止している。また、ＬＣＤコントローラ１５による起動画面描画の場合（Ｓ１７）、その後に本体制御基板２からの起動画面描画指示があった場合は（Ｓ１８）、本体制御基板２からの描画指示による起動画面と入れ替わる（Ｓ１６）。
図５は夜間休止時の動作フローである。外部からの印刷要求（Ｓ２１）に対して、本体制御基板２はプログラム起動をし（Ｓ２２）、夜間休止中かどうかの判断をする（Ｓ２３）。夜間休止中であればそのまま本体制御基板のみで制御を行う。夜間休止中でなければ、通常と同じＬＣＤコントローラ１５への動作指示がされて、ＬＣＤコントローラ１５で起動が行われる（Ｓ２４）。その後は図３にあるフローの制御が行われ（Ｓ２５）、終了する。図６は起動画面の例である。
【図面の簡単な説明】
【０００９】
【図１】本発明の実施の形態に係る電子機器の構成図である。
【図２】操作部ユニットのレイアウト図である。
【図３】本体制御基板側起動シーケンスを示すフローチャートである。
【図４】操作部制御基板側起動シーケンス（電源投入時および節電復帰時）を示すフローチャートである。
【図５】操作部制御基板側起動シーケンス（夜間休止時）を示すフローチャートである。
【図６】起動画面の例を示す図である。
【符号の説明】
【００１０】
１  操作部制御基板
１１  操作部ＣＰＵ
１５  ＬＣＤコントローラ（表示制御部）
１６  タッチパネル（表示部）
２  本体制御基板
２１  本体ＣＰＵ
【図１】
2005343087.tif 000003
【図２】
2005343087.tif 000004
【図３】
2005343087.tif 000005
【図４】
2005343087.tif 000006
【図５】
2005343087.tif 000007
【図６】
2005343087.tif 000008